(57)【要約】【課題】部品の個体差や環境履歴により経年変化の様子が異なる場合であっても、精度の高いキャリブレーションをすることを可能とするキャリブレーション装置を提供する。【解決手段】入力した濃度信号に基づいて画像を出力する画像出力装置の入出力特性に対してキャリブレーションをかけるキャリブレーション装置であって、所定の経過時間以前の１又は複数の時にそれぞれ対応する１又は複数の実測入出力特性に基づいて、経過時間をパラメータとして含む入出力特性近似式の時間以外の１又は複数のパラメータの値を算出するパラメータ算出手段と、前記入出力特性近似式と、前記パラメータ算出手段により算出された１又は複数のパラメータの値に基づいて、前記所定の経過時間又はそれより後において、入力した前記濃度信号を補正する濃度信号補正手段と、を備える。【選択図】図２
2019006020.tif 000002
【特許請求の範囲】
【請求項１】
入力した濃度信号に基づいて画像を出力する画像出力装置の入出力特性に対してキャリブレーションをかけるキャリブレーション装置であって、
所定の経過時間以前の１又は複数の時にそれぞれ対応する１又は複数の実測入出力特性に基づいて、経過時間をパラメータとして含む入出力特性近似式の時間以外の１又は複数のパラメータの値を算出するパラメータ算出手段と、
前記入出力特性近似式と、前記パラメータ算出手段により算出された１又は複数のパラメータの値に基づいて、前記所定の経過時間又はそれより後において、入力した前記濃度信号を補正する濃度信号補正手段と、
を備えることを特徴とするキャリブレーション装置。
【請求項２】
請求項１に記載のキャリブレーション装置であって、
前記パラメータ算出手段は、前記濃度信号の複数のレベルにそれぞれ対応した複数組のパラメータの値を算出し、
前記濃度信号補正手段は、
前記入出力特性近似式と、前記パラメータ算出手段により算出された複数組のパラメータの値と、画像出力時に対応する経過時間に基づいて、ガンマ曲線を求めるガンマ曲線取得手段と、
前記ガンマ曲線取得手段により求まった前記ガンマ曲線に基づいて、入力した前記濃度信号を補正するガンマ特性適用手段と、
を備えることを特徴とするキャリブレーション装置。
【請求項３】
請求項１又は２に記載のキャリブレーション装置であって、
前記パラメータ算出手段は、前記入出力近似式の時間以外の全てのパラメータのうちの少なくとも一部のパラメータの値を算出することを特徴とするキャリブレーション装置。
【請求項４】
請求項１乃至３の何れか１項に記載のキャリブレーション装置であって、
前記パラメータ算出手段は、複数の前記所定の経過時間において動作し、
前記濃度信号補正手段は、前記入出力特性近似式と、前記パラメータ算出手段の直近の動作により算出された１又は複数のパラメータの値に基づいて、直近の前記所定の経過時間又はそれより後において、入力した前記濃度信号を補正することを特徴とするキャリブレーション装置。
【請求項５】
請求項１乃至４の何れか１項に記載のキャリブレーション装置であって、
前記パラメータ算出手段は、前記入出力特性近似式ΔＥとして、
ΔＥ＝（ａｔ＋ｂ−ｄ）１／ｒ＋ｄ
ここで、
ａ、ｂ、ｄ、ｒはパラメータ
ｔは経過時間
又は、
ΔE＝(at+b)x3+(ct+d)x2+(et+f)x+gt+h  （xは階調値）
ここで、
ａ、ｂ、ｃ、ｄ、ｅ、ｆ、ｇ、ｈはパラメータ
ｔは経過時間
又は、
ΔE＝a/t+b
ここで、
ａ、ｂはパラメータ
ｔは経過時間
又は、
ΔE＝aebt  （eは自然対数）
ここで、
ａ、ｂはパラメータ
ｔは経過時間
を用いることを特徴とするキャリブレーション装置。
【請求項６】
請求項１乃至５の何れか１項に記載のキャリブレーション装置を備えることを特徴とする画像出力装置。
【請求項７】
入力した濃度信号に基づいて画像を出力する画像出力装置の入出力特性に対してキャリブレーションをかけるキャリブレーション方法であって、
所定の経過時間以前の１又は複数の時にそれぞれ対応する１又は複数の実測入出力特性に基づいて、経過時間をパラメータとして含む入出力特性近似式の時間以外の１又は複数のパラメータの値を算出するパラメータ算出ステップと、
前記入出力特性近似式と、前記パラメータ算出手段により算出された１又は複数のパラメータの値に基づいて、前記所定の経過時間又はそれより後において、入力した前記濃度信号を補正する濃度信号補正ステップと、
を有することを特徴とするキャリブレーション方法。
【請求項８】
コンピュータを請求項１乃至５の何れか１項に記載のキャリブレーション装置として機能させるためのプログラム。
【発明の詳細な説明】
【技術分野】
【０００１】
本発明は、キャリブレーション装置、それを含む画像出力装置並びにキャリブレーション方法に関し、特に、画像出力装置における濃度信号対印刷濃度の入出力特性に対してキャリブレーションを実行するキャリブレーション装置、それを含む画像出力装置並びにキャリブレーション方法に関する。
【背景技術】
【０００２】
画像出力装置のなかでも、昇華型プリンタは、その印刷画像が優れていることより、写真の印刷など、高画質が要求される場合に利用される。昇華型プリンタとは、インクリボンに塗布された昇華性染料インクを、熱した印字ヘッドにより昇華させ、これを専用のコート紙に転写するタイプのプリンタである。
【先行技術文献】
【特許文献】
【０００３】
【特許文献１】特開２００８−１１４４２５号公報
【発明の概要】
【発明が解決しようとする課題】
【０００４】
しかし、昇華型プリンタの濃度信号対印刷濃度の入出力特性は、一定ではなく、時間的に変化するため、時間の経過と共に所望の画質の画像を得ることができなくなってしまう可能性がある。
【０００５】
特許文献１にはインクリボンユニットに埋め込まれた製造年月日情報からキャリブレーションを実施する技術が公開されている。しかしながら、この制御方法では、製造からの現在の経時時間とインクの色のみに基づいた補正しかできないので、個体差や環境履歴差（例えば、温度に関する履歴差）による変化までは補正することができず、階調特性にそのまま影響してしまう。
【０００６】
そこで、部品の個体差や環境履歴により経年変化の様子が異なる場合であっても、精度の高いキャリブレーションをすることを可能とするキャリブレーション装置、それを含む画像出力装置並びにキャリブレーション方法を提供することを目的とする。
【課題を解決するための手段】
【０００７】
本発明によれば、
入力した濃度信号に基づいて画像を出力する画像出力装置の入出力特性に対してキャリブレーションをかけるキャリブレーション装置であって、
所定の経過時間以前の１又は複数の時にそれぞれ対応する１又は複数の実測入出力特性に基づいて、経過時間をパラメータとして含む入出力特性近似式の時間以外の１又は複数のパラメータの値を算出するパラメータ算出手段と、
前記入出力特性近似式と、前記パラメータ算出手段により算出された１又は複数のパラメータの値に基づいて、前記所定の経過時間又はそれより後において、入力した前記濃度信号を補正する濃度信号補正手段と、
を備えることを特徴とするキャリブレーション装置が提供される。
【０００８】
また、本発明によれば上記のキャリブレーション装置を備えることを特徴とする画像出力装置が提供される。
【０００９】
更に、本発明によれば、
入力した濃度信号に基づいて画像を出力する画像出力装置の入出力特性に対してキャリブレーションをかけるキャリブレーション方法であって、
所定の経過時間以前の１又は複数の時にそれぞれ対応する１又は複数の実測入出力特性に基づいて、経過時間をパラメータとして含む入出力特性近似式の時間以外の１又は複数のパラメータの値を算出するパラメータ算出ステップと、
前記入出力特性近似式と、前記パラメータ算出手段により算出された１又は複数のパラメータの値に基づいて、前記所定の経過時間又はそれより後において、入力した前記濃度信号を補正する濃度信号補正ステップと、
を有することを特徴とするキャリブレーション方法が提供される。
【００１０】
更に、本発明によれば、コンピュータを上記のキャリブレーション装置として機能させるためのプログラムが提供される。
【発明の効果】
【００１１】
本発明によれば、部品の個体差や環境履歴により経年変化の様子が異なる場合であっても、精度の高いキャリブレーションをすることが可能になる。
【図面の簡単な説明】
【００１２】
【図１】本発明の実施の形態による昇華型プリンタの構成を示す機能ブロック図である。
【図２】本発明の実施の形態によるキャリブレーション方法を説明するための第１の原理図である。
【図３】本発明の実施の形態によるキャリブレーション方法を説明するための第２の原理図である。
【図４】本発明の第１の実施の形態によるキャリブレーション方法に含まれるパラメータを求める方法を説明するためのフローチャートである。
【図５】本発明の第１の実施の形態によるキャリブレーション方法に含まれるガンマ曲線を求める方法を説明するためのフローチャートである。
【図６】本発明の第１及び第２の実施の形態によるキャリブレーション方法に含まれるガンマ曲線により濃度信号を補正する方法を説明するためのフローチャートである。
【図７】本発明の第２の実施の形態によるキャリブレーション方法に含まれるパラメータを求める方法を説明するためのフローチャートである。
【図８】本発明の第２の実施の形態によるキャリブレーション方法に含まれるガンマ曲線を求める方法を説明するためのフローチャートである。
【発明を実施するための形態】
【００１３】
以下、図面を参照して本発明を実施するための形態について詳細に説明する。
【００１４】
［第１の実施の形態］
図１は、本発明の実施の形態による昇華型プリンタの構成を示す概念的ブロック図である。
【００１５】
図１を参照すると、この昇華型プリンタ４００は、濃度信号入力部４０１、ガンマ補正部４０３、印刷部４０５、濃度測定部４０９、入出力比記憶部４１１、製造日時入力部４１３、時計４１５、キャリブレーション部４１７、ガンマ特性記憶部４１９を含む。昇華型プリンタ４００は、これらの部分を色毎に持つが、時計４１５などのように共用できるものは、全色で共用してもよい。
【００１６】
濃度信号入力部４０１は、外部から画像の濃度信号を入力する。
【００１７】
ガンマ補正部４０３は、濃度信号入力部４０１が入力した濃度信号に対してガンマ特性記憶部４１９に記憶されているガンマ特性に基づいてガンマ補正をかけてから、印刷部４０５に出力する。
【００１８】
印刷部４０５は、ガンマ補正部４０３から入力したガンマ補正後の濃度信号に基づいてインクリボン４２１を用いて印刷を行う。
【００１９】
濃度測定部４０９は、印刷された画像の各色の濃度を測定する。
【００２０】
入出力比記憶部４１１は、濃度信号を入力、画像濃度を出力としたときの入出力比を測定の日時と共に記憶する。
【００２１】
製造日時入力部４１３は、インクリボン４２１の製造日時を入力する。
【００２２】
時計４１５は、現在の日時を測定する。
【００２３】
キャリブレーション部４１７は、入出力記憶部４１１に記憶されている入出力比と測定日時と、インクリボン４２１の製造日時と、現在の日時に基づいて、現在の日時に対応したキャリブレーションがかけられたガンマ特性を計算する。
【００２４】
ガンマ特性記憶部４１９は、キャリブレーションがかけられたガンマ特性をキャリブレーション部４１７から入力して記憶する。
【００２５】
図２は、第１の実施の形態による昇華型プリンタにおける、濃度信号対印刷濃度に対するキャリブレーションを説明するための図である。
【００２６】
図２に示す曲線１０１は、カラー入力画像の所定の色の所定のレベルにおいて、濃度信号を入力として、印刷濃度を出力としたときの入出力比△Ｅの経時変化を示すものである。つまり、所定の色の所定のレベルに対して、その色の印刷濃度がどのように経時変化するかを示すものである。ここで、所定の色とは、各インクリボンの色（例えば、黄色、マゼンダ、シアン又は黒など）である。
【００２７】
図２にも示しているが、この曲線は、例えば、近似式
△Ｅ（ｔ）＝（ａ・ｔ＋ｂ−ｄ）1/r＋ｄ  ・・・（１）
ここで、
ａ、ｂ、ｄ、ｒ：パラメータ
ｔ：経過時間
で表すことができる。この近似式は、発明者が様々な手法を用いた結果、入出力比△Ｅの経時変化を良く近似するものとして求めたものである。
【００２８】
本実施形態では、製造日時と入出力比の実測データと測定日時よりこれらのパラメータａ、ｂ、ｄ、ｒを求める。
【００２９】
一例として図３において５つの黒点１０３で示すように、キャリブレーションの実施日時までの複数（図３の例では、５つ）の経過時間における入出力比を用いて、最小二乗法などにより、これらのパラメータを求めることができる。ここで、経過時間とは、インクリボンが製造された日時から現在の日時までの経過時間であるが、インクリボンが製造された日から現在が属する日までの経過日であってもよい。
【００３０】
パラメータが求まったならば、これを近似式（１）に代入することにより、近似式（１）の定数を決める。
【００３１】
各色の各レベルに対してパラメータを求めたならば、色数×レベル数のパラメータセットを求めたことになる。つまり、色数×レベル数の近似式が求まったことになる。
【００３２】
図４を参照して、上記の方法の説明をする。
【００３３】
ステップＳ２０１ＳからステップＳ２０１Ｅまでの処理を各色について繰り返す。そして、各色において、ステップＳ２０３ＳからステップＳ２０３Ｅまでの処理を各レベルについて繰り返す。
【００３４】
各繰り返しにおいて、まず、製造日時からキャリブレーション実施日時までの複数の時点における入出力比（濃度信号対印刷濃度）のデータを取得する（ステップＳ２０５）。
【００３５】
次に、取得した濃度信号対印刷濃度のデータに基づいて、上記の式（１）におけるパラメータａ、ｂ、ｄ、ｒを求める（ステップＳ２０７）。
【００３６】
実際に印刷をする印刷日時における経過時間がわかったならば、各色に対して、レベル毎に、現在の経過時間を、パラメータが決定済みの近似式（１）に代入して、各色の各レベルにおける入出力比を算出する。各色について、各レベルにおける入出力比を集めることにより現在のその色に対する入力画像対印刷画像のガンマ曲線を得ることができる。
【００３７】
図５を参照して、上記の方法の説明をする。
【００３８】
ステップＳ２１１ＳからステップＳ２１１Ｅまでの処理を各色について繰り返す。
【００３９】
各色においては、次の処理を行う。最初に、各レベルについて、パラメータと経過時間を近似式に代入して、入出力比を求める（ステップＳ２１３Ｓ、Ｓ２１５、Ｓ２１３Ｅ）。次に、各レベルに対する入出力比に基づいて、その色におけるガンマ曲線を求める。
【００４０】
そして、実際に印刷する際には、各色について、利用日時に対して得られたガンマ曲線を用いて、画像レベルの補正を行う。従って、印刷日時により変化するガンマ曲線を用いて、画像レベルの補正を行うことになる。
【００４１】
図６を参照して、上記の方法の説明をする。
【００４２】
ステップＳ２２１ＳからステップＳ２２１Ｅまでの処理を各色について繰り返す。そして、各色において、ステップＳ２２３ＳからステップＳ２２３Ｅまでの処理を画素毎に繰り返す。
【００４３】
各繰り返しにおいて、まず、ガンマ曲線を用いて濃度信号を補正する（ステップＳ２２５）。
【００４４】
次に、補正された濃度信号を印刷部に出力する（ステップＳ２２７）。
【００４５】
上述の近似式（１）は、それに含まれるパラメータａ、ｂ、ｄ、ｒを調整することにより、インクリボンの個体差や環境履歴を反映することができるものであることを発明者が見つけたものであるので、この近似式（１）を用いて上述の方法を実施することにより、インクリボンの個体差や環境履歴により経年変化の様子が異なる場合であっても、精度の高いキャリブレーションを伴った印刷が可能となる。
【００４６】
パラメータを求めるための実測データは、環境が一定であれば、インクリボンが製造されてから一定期間内に集めたものであってもよい。そして、その一定期間経過時にパラメータを求め、それ以降、継続的にそのパラメータを用いてもよい。
【００４７】
また、環境（特に環境温度）が変化したならば、変化後所定期間内に実測データを求め、それらの実測データを用いてパラメータを求めるようにしてもよい。
【００４８】
製造日時又は製造日の取得方法についてであるが、これを、インクリボンのカートリッジに内蔵されたチップや付属のＲＦタグに記録しておいて、画像出力装置が読み出すようにしてもよい。製造日時又は製造日を、インクリボンのカートリッジを収容する箱にバーコードまたはＱＲコードの形態で印刷しておいて、画像出力装置にカートリッジを装着するときにバーコードリーダ又はＱＲコードリーダにより読み出し、これを画像出力装置に入力するようにしてもよい。
【００４９】
現在の日時又は現在の日付は、画像出力装置が内蔵する時計から読み出してもよいし、外部から入力してもよい。
【００５０】
近似式（１）におけるパラメータａ、ｂ、ｄ、ｒの全部をキャリブレーションを行うたびに求め直してもよいが、一部のみをキャリブレーションを行うたびに求め直してもよい。例えば、パラメータａ、ｂ、ｄ、ｒのうちのパラメータｄのみを求め直すようにしてもよい。
【００５１】
特に、初期期間において、実測データ数が足りない場合には、パラメータの一部を固定値にして、残りのパラメータのみを求めるようにしてもよい。たとえば、パラメータｄのみ、パラメータｄ、ｒのみ、又は、パラメータａ、ｄ、ｒのみを求めるようにしてもよい。
【００５２】
一例として、（１）製造日から半月経過後にパラメータａ、ｂ、ｒを固定として、その半月のデータに基づいて、パラメータｄを求め、それから暫くの期間はこれらのパラメータを用い、（２）その一ヶ月後に、パラメータａ、ｂを固定として、その一ヶ月のデータに基づいて、パラメータｄ、ｒを求め、それから暫くの期間は、これらのパラメータを用い、（３）その一か月後に、パラメータｂを固定として、直近二ヶ月のデータに基づいて、パラメータａ、ｄ、ｒを求め、それから暫くの期間は、これらのパラメータを用い、（４）その一ヶ月後に、直近三ヶ月のデータに基づいて、パラメータａ、ｂ、ｄ、ｒを求め、それから、これらのパラメータを用い、（５）それ以降は、（４）を繰り返すようにしてもよい。
【００５３】
製造時からの経過時間を用いなくても、複数の入出力特性の相対的な時間間隔がわかれば、パラメータの計算をすることができる場合もある。
【００５４】
［第２の実施の形態］
第１の実施の形態では、各色に対してレベル毎にパラメータを求めたが、全レベルを数レベル毎にグループ化して、レベルグループ毎にパラメータを求めるようにしてもよい。
【００５５】
従って、第２の実施の形態では次のようになる。
【００５６】
例えば、図３において黒点１０３で示すように、入出力比と経過時間との複数の組を用いて、最小二乗法などにより、これらのパラメータを求める。ここで、経過時間とは、インクリボンが製造された日時から現在の日時までの経過時間であるが、インクリボンが製造された日から現在が属する日までの経過日であってもよい。
【００５７】
パラメータを求めることと、それを近似式（１）に代入することを、各色の最小レベル（例えばレベル０）から最大レベル（例えばレベル２５５）までの各グループについて行う。
【００５８】
図７を参照して、上記の方法の説明をする。
【００５９】
ステップＳ３０１ＳからステップＳ３０１Ｅまでの処理を各色について繰り返す。そして、各色において、ステップＳ３０３ＳからステップＳ３０３Ｅまでの処理を各レベルグループの代表レベルについて繰り返す。
【００６０】
各繰り返しにおいて、まず、製造日時からキャリブレーション実施日時までの複数の時点における入出力比（濃度信号対印刷濃度）のデータを取得する（ステップＳ３０５）。
【００６１】
次に、取得した濃度信号対印刷濃度のデータに基づいて、上記の式（１）におけるパラメータａ、ｂ、ｄ、ｒを求める（ステップＳ３０７）。
【００６２】
各色の各グループに対してパラメータを求めるならば、色数×グループ数のパラメータセットを求めることになる。
【００６３】
現在の経過時間がわかったならば、各色に対して、グループ毎に、現在の経過時間を近似式（１）に代入して、各グループにおける入出力比を算出する。各グループにおける入出力比を集めることにより現在の各色に対する入力画像対印刷画像のガンマ曲線を得ることができる。
【００６４】
図８を参照して、上記の方法の説明をする。
【００６５】
ステップＳ３１１ＳからステップＳ３１１Ｅまでの処理を各色について繰り返す。
【００６６】
各色においては、次の処理を行う。最初に、各レベルグループの代表レベルについて、パラメータと経過時間を近似式に代入して、入出力比を求める（ステップＳ３１３Ｓ、Ｓ３１５、Ｓ３１３Ｅ）。次に、各レベルグループの代表レベルに対する入出力比に基づいて、その色におけるガンマ曲線を求める。この際、隣接する代表レベル間のレベルについては、入出力比を補間する。また、ガンマ曲線を予めパラメータを含んだ所定の近似式により表しておいて、各レベルグループの代表レベルに対する入出力比に基づいて、この近似式におけるパラメータを最小自乗法などにより求めてもよい。
【００６７】
そして、実際に印刷する際には、各色について、現在に対して得られたガンマ曲線を用いて、画像レベルの補正を行う。従って、印刷を実行する日時により変化するガンマ曲線を用いて、画像レベルの補正を行うことになる。
【００６８】
これは、図６を参照して説明した方法により行うが、既に説明をしているので、ここでの説明は省略する。
【００６９】
なお、各グループで利用する実測データとしては、例えば、そのグループにおける中心のレベルのものにする。
【００７０】
グループ数は、任意である。２レベルで１グループにすれば、パラメータセットの数は、半減する。極端な例であるが、１グループのみにすれば、パラメータセットの数は、各色に対して１になる。１グループのみにすれば、精度は低くなるが、濃度補正は可能である。
【００７１】
［第３の実施の形態］
実施形態１における近似式（１）の代わりに、下式（２）乃至（４）の何れか用いてもよい。
【００７２】
ΔE＝(at+b)x3+(ct+d)x2+(et+f)x+gt+h  （xは階調値）  ・・・（２）
ここで、
ａ、ｂ、ｃ、ｄ、ｅ、ｆ、ｇ、ｈはパラメータ
ｔは経過時間
ΔE＝a/t+b  ・・・（３）
ここで、
ａ、ｂはパラメータ
ｔは経過時間
ΔE＝aebt  （eは自然対数）  ・・・（４）
ここで、
ａ、ｂはパラメータ
ｔは経過時間
なお、上記の昇華型プリンタ装置は、ハードウェア、ソフトウェア又はこれらの組合わせにより実現することができる。また、上記の昇華型プリンタ装置に含まれるキャリブレーション部により行なわれるキャリブレーション方法も、ハードウェア、ソフトウェア又はこれらに組合わせにより実現することができる。ここで、ソフトウェアによって実現されるとは、コンピュータがプログラムを読み込んで実行することにより実現されることを意味する。
【００７３】
プログラムは、様々なタイプの非一時的なコンピュータ可読媒体(non-transitory computer readable medium)を用いて格納され、コンピュータに供給することができる。非一時的なコンピュータ可読媒体は、様々なタイプの実体のある記録媒体(tangible storage medium)を含む。非一時的なコンピュータ可読媒体の例は、磁気記録媒体（例えば、フレキシブルディスク、磁気テープ、ハードディスクドライブ）、光磁気記録媒体（例えば、光磁気ディスク）、ＣＤ−ＲＯＭ(Read Only Memory)、ＣＤ−Ｒ、ＣＤ−Ｒ／Ｗ、半導体メモリ（例えば、マスクＲＯＭ、ＰＲＯＭ(Programmable ROM)、ＥＰＲＯＭ(Erasable PROM)、フラッシュＲＯＭ、ＲＡＭ(random access memory)）を含む。また、プログラムは、様々なタイプの一時的なコンピュータ可読媒体(transitory computer readable medium)によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００７４】
本発明はその精神または主要な特徴から逸脱することなく、他の種々の形で実施することができる。そのため、前述した各実施形態は単なる例示にすぎず、限定的に解釈されるべきではない。本発明の範囲は特許請求の範囲によって示すものであって、明細書本文にはなんら拘束されない。さらに、特許請求の範囲の均等範囲に属する変形や変更はすべて本発明の範囲内のものである。
【産業上の利用可能性】
【００７５】
本発明は、画像出力装置の一例としての熱昇華型プリンタを用いた印刷に利用することができるが、他のタイプの画像出力装置を用いた画像出力にも利用することができる。特に、本発明は、画像表示装置にも利用することができ、熱昇華型プリンタ以外の画像形成装置にも利用することができる。
【符号の説明】
【００７６】
４０１  濃度信号入力部
４０３  ガンマ補正部
４０５  印刷部
４０９  濃度測定部
４１１  入出力比記憶部
４１３  製造日時入力部
４１５  時計
４１７  キャリブレーション部
４１９  ガンマ特性記憶部
【図１】
2019006020.tif 000003
【図２】
2019006020.tif 000004
【図３】
2019006020.tif 000005
【図４】
2019006020.tif 000006
【図５】
2019006020.tif 000007
【図６】
2019006020.tif 000008
【図７】
2019006020.tif 000009
【図８】
2019006020.tif 000010